(57)【要約】  【課題】  本来のガラスの深みのある透明性を活かし、その光反射特性を最大限に活かし、ガラス玉のイメージの持つ愛らしさとを兼ね備えた新しいガラス玉アクセサリー及びその製造方法を実現する。  【解決手段】  ガラス玉に蓄光材を粒状に混入させ、暗がりでの効果的な輝きを持たせるとともに、金属光沢を有する網で覆い、金属光沢とガラスの光反射とを組み合わせた美しい輝きを実現し、さらに、網でガラス玉を包んで下げ飾りとすることで愛らしくオシャレな各種のアクセサリーを実現した。【選択図】      図３
2005124687.tif 000002
【特許請求の範囲】
【請求項１】
ガラス線材の一部を加熱して溶融させながら、該ガラス線材を回転させ、かつ、その両端部から圧力を与え、ガラスの溶融部分を所定の大きさの玉状とし、次に該玉部の一方のガラス線材部分を切除し、さらに、該玉部が溶融状態のままで蓄光材粉末を外面に付着させ、直ちに、球状整形型にて球状に整形し、残りのガラス線材部分を玉部より切除することにより、ガラス玉の表面に蓄光粒層を形成させたことを特徴とするガラス玉アクセサリーの製造方法。
【請求項２】
前記の蓄光粒層のさらに外表面に、透明被覆を施すことを特徴とする請求項１に記載のガラス玉アクセサリーの製造方法。
【請求項３】
前記のガラス玉の形成において、複数のカラーガラス線材を用い、多色模様の玉部を形成させることを特徴とする請求項１または請求項２のガラス玉アクセサリーの製造方法。
【請求項４】
前記のガラス玉の外面に、飾り網を被せることを特徴とする請求項１から請求項３までのいずれかの項に記載のガラス玉アクセサリーの製造方法。
【請求項５】
前記の飾り網は、浮き玉編みで編み上げた飾り網であることを特徴とする請求項１から請求項４までのいずれかに記載のガラス玉アクセサリーの製造方法。
【請求項６】
前記の飾り網は、軟金属線による金網であり、該金網を前記のガラス玉に被せ、光沢メッキすることを特徴とする請求項１から請求項４までのいずれかに記載のガラス玉アクセサリーの製造方法。
【請求項７】
前記の金網は、４本の線材（Ａ線、Ｂ線、Ｃ線、Ｄ線）からなり、以下に示す手順で網状に形成し、ガラス玉を覆い、端線を束ねて結束されていることを特徴とする請求項６に記載のガラス玉アクセサリーの製造方法。
１）２本の線材（Ａ線、Ｂ線）を用い、その中心部分を所定回数捩る。
２）残りの２本（Ｃ線、Ｄ線）の内の１本の線（Ｃ線）を上記の２本（Ａ線、Ｂ線）の捩りの中心に直角に通す。
３）最後の１本（Ｄ線）を直角に通した線（Ｃ線）と束ねて、上記の１）と同じ回数捩る。
４）各々捩った線（Ａ線×Ｂ線とＣ線×Ｄ線）の先端を開く。
５）開いた線の隣同士の線を１回づつ捩り、「田」字形状に編む。
６）上記の「田」字形状の外周の辺を底辺として三角形を形成するように、さらに隣同士を所定回数捩り、飾り網を形成する。
【発明の詳細な説明】
【技術分野】
【０００１】
本発明は、ガラス玉を用いたアクセサリーに関し、ペンダントやイヤリング、あるいは、キーワードホルダーや携帯ストラップの飾りなどとして用いられるガラス玉アクセサリーの製造方法に関するものである。
【背景技術】
【０００２】
従来より、ガラス玉を用いたアクセサリーは、種々のデザインのものが市販されている。
【０００３】
例えば、擬似宝石として、クリスタルガラスなどがある。これは、屈折率・透明度の高いガラスを用い、ダイヤモンドのように、複雑な多面体にカットして、きらきらと美しく輝くようにしたものである。特に高級食器や工芸品として用いられているものである。
【０００４】
また、ガラス玉としては、ビー玉が代表的であり、子供のおもちゃとして、古くから市販されているものである。このビー玉は、透明のものからカラーのもの、マーブル模様のものなど様々な彩色のものがある。これらの美しく彩色されたビー玉を用いて、ペンダントの飾りや、孔を開けて紐を通して、数珠繋ぎにし、ネックレスにしたものなどもある。  
【０００５】
このように、ガラス玉を用いたアクセサリーとしては、
１）透明なガラスの光の反射性を利用して、輝きを利用してアクセサリーとしたもの。
２）彩色ガラスを用いて、カラフルな色彩を利用してアクセサリーとしたもの。
３）多数のガラス玉を用いて、その色彩の組み合わせの美しさを利用してアクセサリーとしたものがあった。
【０００６】
１）は、クリスタルガラスなどであり、屈折率・透明度の高いガラスを用い、さらに多面体に複雑なカットを行うことで美しい輝きを実現するものであるが、製作コストが高く、また、高度なカット技術も要求されるものであり、一般的に広く使用されることを目的としておらず、高価な高級品を目的とするものである。
【０００７】
２）は、彩色されたガラス玉を用いるものであり、色ガラスや色模様入りのガラス玉とし、その彩色の美しいアクセサリーとすることを目的とするものであり、下げ飾りなどとして、ペンダントやキーワードホルダーなど安価に提供されている。
【０００８】
３）は、カラフルな色ガラスや彩色模様のガラス玉を連ねて、腕輪やネックレスなどとして安価に提供されている。色彩の組み合わせによる美しさを目的としたアクセサリーである。
【０００９】
これらの他に、登録実用新案３０２８４５０号公報では、ホルダー本体に球面凹部を形成し、該球面凹部の内底面に白色下地層を球面状に形成し、該白色下地層の上に発光材を球面状に塗布し、該発光材の上に透明シールを敷き、該透明シール及び前記発光材の上に透明の球体を載置して該球体が球面凹部から脱落しないように固定してなる装身具としたものであり、ガラス玉のレンズ効果と発光材との組み合わせを特徴としたものである。
【００１０】
また、特開２００３−２２５１０６号公報では、マイナスイオンを発生させ得る放射線放出性鉱物粉末がガラス中に均一に分散されて成るガラスピースが繋がれており、各ガラスピースの表面には、真珠様の光沢を有した真珠光沢コーティング層が設けられているネックレスであり、マイナスイオン効果を特徴とするものである。
【特許文献１】登録実用新案３０２８４５０号公報
【特許文献２】特開２００３−２２５１０６号公報
【発明の開示】
【発明が解決しようとする課題】
【００１１】
本発明の課題は、手軽に使用できるアクセサリーであり、かつ、今までにない、輝きと光沢の美しさと、愛らしさを持つガラス玉を用いたアクセサリーを提供しようとするものである。
【００１２】
上記に示す従来のものにおいては、安価で一般に提供されているガラス玉アクセサリーにおいては、彩色されたガラス玉を複数組み合わせて、愛らしく、また美しいアクセサリーを提供していた。
【００１３】
本来のガラスの有する、光反射特性による美しい輝きを活用して安価なアクセサリーとするものは見当たらない。これは、一般には、擬似クリスタルガラスとしての透明樹脂製のものが多数普及しているためであり、これらは、おもちゃの域をでるものではなく、一般的にオシャレなアクセサリーとはいえない。
【００１４】
本来のガラスの深みのある透明性を活かし、その光反射特性を最大限に活かし、ガラス玉のイメージの持つ愛らしさとを兼ね備えた新しいガラス玉アクセサリー及びその製造方法を実現することを課題とする。
【課題を解決するための手段】
【００１５】
本発明は、上記の課題を解決するために、ガラス玉に蓄光材を粒状に混入させ、暗がりでの効果的な輝きを持たせるとともに、金属光沢を有する網で覆い、金属光沢とガラスの光反射とを組み合わせた美しい輝きを実現し、さらに、網でガラス玉を包んで下げ飾りとすることで愛らしくオシャレな各種のアクセサリーを実現できるものである。
【００１６】
請求項１では、ガラス線材の一部を加熱して溶融させながら、該ガラス線材を回転させ、かつ、その両端部から圧力を与え、ガラスの溶融部分を所定の大きさの玉状とし、次に該玉部の一方のガラス線材部分を切除し、さらに、該玉部が溶融状態のままで蓄光剤粉末を外面に付着させ、直ちに、球状整形型にて球状に整形し、残りガラス線材部分を玉部から切除することにより、ガラス玉の表面に蓄光粒層を形成させたことを特徴とするガラス玉アクセサリーの製造方法である。
【００１７】
該ガラス線材は、ガラス製の棒状の線材であり、直径が３ｍｍから１０ｍｍ程度のものが使用できる。また、色ガラス製のものでも良い。この線材の両端部から押圧し、その中心部をバーナーなどで加熱し、溶融させることで、中心部が玉状となるものである。
【００１８】
該蓄光材粉末は、蓄光性を付与する蓄光顔料などであり、光の照射によって励起され、そのような光が照射されているときに蛍光を発するだけでなく、光の照射を停止した後にも、残光（リン光）を発するものである。
【００１９】
従来から公知の各種のもの、例えばアルミン酸ストロンチウム系、アルミン酸カルシウム系、アルミン酸バリウム系等の蓄光性無機質蛍光体等を用いことができる。
【００２０】
具体的な蓄光顔料としては、ＳｒＣＯ3、Ａｌ2Ｏ3、Ｈ3ＢＯ3等の原料に、賦活剤として、Ｅｕ2Ｏ3等を加え、更に付加賦活剤として、Ｄｙ2Ｏ3等を配合せしめて、焼成することにより、製造されるものであって、一般に、平均粒子径が０．０１〜０．０４ｍｍ程度の微細粒状形態（微粉末）のものである。
【００２１】
これらの蓄光材粉末を溶融状態のガラス玉の表面に付着させるものであり、粉体中でガラス玉を転がして付着させても良く、吹き付け付着させても良い。
【００２２】
蓄光材を付着後、直ちに、球状整形型にて形状を球状に整える。該球状整形型は、カーボン製の半球凹形状の型であり、この半球凹部に溶融状態のガラス玉を入れ、回すように、押し付けて形状を整える。蓄光材粉末は、溶融したガラス玉に付着すると、蓄光材粉末も溶けて、粒状の塊となり、押圧により、ガラス玉の内部に押し入れられ、球状表面内に蓄光材の粒状の層を形成する。
【００２３】
請求項２では、前記の蓄光粒層のさらに外表面に、透明被覆を施すことを特徴とするガラス玉アクセサリーの製造方法である。
【００２４】
該透明被覆は、透明性を有する被覆ができるものであればいずれでも良く、透明樹脂塗料などでも良い。これにより、衝撃に弱いガラスを保護することができる。
【００２５】
請求項３では、前記のガラス玉の形成において、複数のカラーガラス線材を用い、多色模様の玉部を形成させることを特徴とするガラス玉アクセサリーの製造方法である。
【００２６】
該カラーガラス線材は、半透明のカラーガラスでもカラフルな色ガラスのいずれでも良く、それらの複数のガラス線材を束ねて中心部を加熱することにより、各色が混ざった状態でガラス玉を形成できる。色が混じったグラデーションのガラス玉やマーブル模様、格子模様など、各種の彩色ガラス玉を製造できる。
【００２７】
請求項４では、前記のガラス玉の外面に、飾り網を被せることを特徴とするガラス玉アクセサリーの製造方法である。
【００２８】
該飾り網は、糸や紐を編んだ網などであり、各種の編み方より、美しい網目模様を形成した網体であり、いずれの飾り網を用いても良い。
【００２９】
請求項５では、前記の飾り網は、浮き玉編みで編み上げた飾り網であることを特徴とするガラス玉アクセサリーの製造方法である。
【００３０】
該浮き編みの飾り網は、球体専用の網を形成するための編み方であり、ガラス玉の網としては最適であり、上部で結んで下げ飾りとするには最適である。
【００３１】
請求項６では、前記の飾り網は、軟金属線による金網であり、該金網を前記のガラス玉に被せ、光沢メッキすることを特徴とするガラス玉アクセサリーの製造方法である。
【００３２】
該軟金属線は、例えば、銅線やアルミ線、真鍮線などのように軟らかい金属による線材であり、該金網は、それらの金属線を用い、ガラス玉を包みやすくした金属性の網である。ガラス玉をこの金網で包み、金網に光沢メッキを施すものである。該ガラス玉は、非伝導性であるので、金属線のみ容易に光沢メッキをほどこすことができる。
【００３３】
請求項７では、前記の金網において、４本の線材（Ａ線、Ｂ線、Ｃ線、Ｄ線）からなり、以下に示す手順で網状に形成し、ガラス玉を覆い、端線を束ねて結束されていることを特徴とするガラス玉アクセサリーの製造方法である。
【００３４】
１）２本の線材（Ａ線、Ｂ線）を用い、その中心部分を一定回数捩る。
２）残りの２本（Ｃ線、Ｄ線）の内の１本の線（Ｃ線）を上記の2本（Ａ線、Ｂ線）の捩りの中心に直角に通す。
３）最後の１本（Ｄ線）を直角に通した線（Ｃ線）と束ねて、上記の１）と同じ回数捩る。
４）各々捩った線（Ａ線＋Ｂ線とＣ線＋Ｄ線）の先端を開く。
５）開いた線の隣同士の線を１回づつ捻り、「田」字形状に編む。
６）上記の「田」字形状の外周の辺を底辺として三角形を形成するように、さらに隣同士を一定回数捩り、飾り網を形成する。
【００３５】
このような形状の金属性網とすることで、球形状に適した網体となり、ガラス玉を包みやすく、ガラス玉を包んで上部を結ぶと、下げ飾りとなる。
【発明の効果】
【００３６】
本発明では、以下のような効果を奏する。
１）蓄光粒層をガラス玉の表面に容易に形成でき、ガラス玉の愛らしいイメージに暗闇での輝きの効果をプラスした、愛らしいオシャレなガラス玉アクセサリーを提供できる。
【００３７】
２）透明被覆層を形成することで、表面が滑らかとなり、衝撃に弱いガラスの保護層となる。また被覆層とガラス層との境目で光の屈折率が異なり、ガラス玉の表面での反射も増え、明るさを増進させる。
【００３８】
３）複数のガラス線材を用いることで、様々な模様の彩色ガラス玉とすることができる。
【００３９】
４）飾り網で覆うことで、ガラス玉をより愛らしくオシャレなアクセサリーとすることができる。
【００４０】
５）浮き玉編みの網を用いることにより、球状のガラス玉に適した網体となり、下げ飾りとして最適に使用できる。
【００４１】
６）金網を用い、光沢メッキを施すことにより、ガラス玉の光反射効果と金属光沢との組み合わせによる今までにない、美しい輝きを実現できる。
【００４２】
７）４本の線材を編み上げて球状に適した金網とすることで、小さなガラス玉においても容易に包むことができ、上部で結び、下げ飾りのアクセサリーとすることができ、非常に愛らしく、かつ、輝きのあるオシャレなガラス玉アクセサリーを実現できる。
【発明を実施するための最良の形態】
【００４３】
本発明は、ガラス玉の愛らしいイメージに、ガラスの持つ光反射特性を活かした輝きを有するオシャレなガラス玉アクセサリーを実現するために、蓄光粒層を形成し、光沢を有する金属網との組み合わせにより、今までにない輝き効果とオシャレなデザインを有するガラス玉アクセサリーを実現した。
【実施例１】
【００４４】
本発明によるガラス玉アクセサリーのガラス玉部の製造方法について図面を用いて以下に説明する。図１は、本発明によるアクセサリーのガラス玉の製造工程を示すフロー図である。
【００４５】
Ｓ−１）溶融玉部形成工程
長さ３０ｃｍで５ｍｍφの透明ガラス線材を用い、その中央部分をガスバーナーで加熱し、ガラス線材の両端を持ち、わずかに加圧する。バーナーの加熱により、中央部が溶融する。ガラス線材を回転させながらわずかに加圧すると、溶融部が玉状に膨らむ。直径が２０ｍｍ程度になるまで加熱し、溶融玉を形成する。
【００４６】
なお、加熱温度は、バーナーの性能上、１４００度程度でおこなったが、ガラス線材の太さや種類によって適時設定し、ゆっくりと溶融する程度の加熱温度に設定すると良い。また、加圧力も、加熱温度により、調整し、わずかに押す程度でよく、回転させながら軽く押しつける程度が好ましい。溶融玉のサイズは、使用するアクセサリーに適した大きさにすれば良く、直径は３０ｍｍ以内が好ましく、それ以上大きい場合には、自重で変形する恐れがあるので好ましくない。
【００４７】
Ｓ−２）ガラス線片切断工程１
溶融ガラス玉が所定の大きさとなったところで、ガラス線材の片方を根元部分でガラス鋏を用いて切断する。この時点で再度切断部を加熱して形を整えると良い。
【００４８】
Ｓ−３）蓄光材粉末付着工程
溶融ガラス玉部分に、蓄光材粉末を付着させる。蓄光材粉末中で溶融ガラス玉部を転がして付着させる。蓄光材粉末の付着は、ガラス玉部全体に薄く付着させることが好ましい。蓄光材粉末は付着させると、ガラス玉が高温に溶融しているため、蓄光材粉末も溶融する。このとき、溶融と共に粒子状の蓄光粒となる。
【００４９】
蓄光材粉末の付着を吹き付けにより行っても良い。また、溶融して粒ができやすいように、核となる金属粒を混入させても良い。
【００５０】
Ｓ−４）球状整形工程
蓄光材を付着させた状態で、ガラス玉部を球状整形型を用いて整形する。球状整形型は、カーボン製の半球凹部を有する型台であり、その半球凹部に溶融ガラス玉部を押圧して整形する。押圧により、溶融ガラス玉部の外面に付着した蓄光粒は、ガラス玉部の内部に押し込まれ、表面は球状に整形される。丁寧に回転させながら押圧することで、蓄光粒はガラス玉の内部に蓄光粒層を形成させることができる。
【００５１】
２分割の球形プレス型で整形しても良い。その場合には、蓄光材粉末が溶融して粒状となったことを確認してから行うことが好ましい。
【００５２】
Ｓ−５）ガラス線片切断工程２
残りのガラス線材をガラス玉部の根元部で切断する。この時点では、自然冷却しているため、軽い衝撃で簡単に折り取ることができる。
【００５３】
Ｓ−６）仕上げ冷却工程
上記のガラス線材の切断部を軽く加熱し、表面を滑らかにする。その後、緩やかに放冷し、クラックが入らないように注意しながら常温まで冷却する。
【００５４】
本実施例においては、蓄光材粉末をガラス玉に混入させたが、この蓄光材とともに金属微細片や星砂などを共に混入させても良い。金属微細片を混入させると、昼間は光の乱反射を起こし、夜は蓄光材の光を輝かせる役目をする。また、星砂を混入させると、蓄光材が星砂の表面に付着するため、暗闇では、ガラス玉の中で星砂が光って見える事となる。
【実施例２】
【００５５】
実施例１において、製造したガラス玉と、球形用の金網を用いたガラス玉アクセサリーの製造方法について、図面を用いて説明する。図２は、本発明によるガラス玉アクセサリーの製作前の部品を示す図であり、図３は、組み立て後の完成例を示す図である。以下の手順で製造する。
【００５６】
Ｔ−１）図１の手順に従って製造したガラス玉１は、図２の（１）に示すとおりであり、蓄光材粒３がガラス玉１の内部に混入されている。
【００５７】
Ｔ−２）図２の（２）に示すような球形に適応した金網２を作成する。以下にその製作手順を示す。
【００５８】
ａ）４本の銅線（線径：１ｍｍ、長さ：２０ｃｍ）Ａ、Ｂ、Ｃ、Ｄを用意する。
ｂ）４本中の２本の銅線（Ａ線、Ｂ線）を用い、その中心部分４を４回捩る。
ｃ）残りの２本（Ｃ線、Ｄ線）の銅線の内の１本の線（Ｃ線）を上記の２本（Ａ線、Ｂ線）の捩りの中心部５に直角に通す。
ｄ）最後の１本（Ｄ線）を直角に通した線（Ｃ線）と束ねて、同様に４回捩る。
ｅ）各々捩った線（Ａ線×Ｂ線とＣ線×Ｄ線）の先端を開く。
ｆ）開いた線の隣同士の線を１回づつ捩り、「田」字形状６に編む。
ｇ）上記の「田」字形状の外周の辺７を底辺として三角形８を形成するようにし、さらに隣同士を５回捩り、先端を開く。
ｈ）最後に開いた各々銅線の先端を図２（２）に示すように、８本の中の５本９を短く切断する。
このようにできた金網２は、ガラス玉１を包むのに適した形状となる。
【００５９】
Ｔ−３）上記のＴ−１）のガラス玉１を用いて、上記のＴ−２）に示す金網２の上に上記のＴ―１）に示すガラス玉１を載せ、周囲から金網２で包みこみ、上部で結束する。
【００６０】
Ｔ−４）結束部に輪１０を作り、リング１１を取り付けて留める。
【００６１】
Ｔ−５）出来上がった金網部２に光沢メッキとして電気メッキを施す。本実施例の電気メッキは、金属光沢を有するように、ニッケルメッキとした。該電気メッキは、銅メッキや貴金属メッキ（金、銀など）でも良い。
【００６２】
このようにして完成したガラス玉アクセサリーの上部の輪１０に紐や鎖をつないで、ペンダントやキーホルダーなどのアクセサリーとする。
【００６３】
このようにして製作したガラス玉アクセサリーは、ガラス玉の愛らしいイメージをそのままに、光沢を有する金属製網により、ガラスの光反射性と網の金属光沢とにより、美しい輝きを持つオシャレなデザインとなる。また、暗がりでは、蓄光材粒が発光し、金属網の反射効果も加わり、ガラスの持つ幻想的で神秘的な効果を奏するアクセサリーとなる。
【００６４】
また、本実施例では、無色透明色のガラスを使用したが、ガラス玉の製造時にガラス線材として複数の色ガラスを用いることにより、様々色彩のガラス玉とすることができ、さらに、マーブルなどの多色の模様とすることもできる。
【００６５】
また、ガラス玉の表面に透明樹脂塗料を塗布することで、衝撃からの防護となり、さらに、光の屈折率を変化させたりすることもできる。
【００６６】
また、ガラスの外面を覆う網としては、カラフルな浮き玉編みなど各種の飾り網を使用し、意匠効果を高めることができる。
【産業上の利用可能性】
【００６７】
本発明のガラス玉アクセサリーを下げ飾りとして多数吊り下げて、店舗のショウウインドウ用の飾りや、イベント用飾りや、クリスマスツリーの飾りなど、ショウアップするための飾りとして適用することができる。
【００６８】
また、網部においては、海上浮きを包む浮き網に替えて、本発明の金属網を樹脂ロープで形成することができ、複雑な浮き玉編みではなく、簡単な編み方で球形用の網として適用できる。
【図面の簡単な説明】
【００６９】
【図１】本発明によるガラス玉の製造工程を示すフロー図である。
【図２】本発明によるガラス玉アクセサリーの部品を示す図である。
【図３】本発明によるガラス玉アクセサリーの実施例を示す図である。
【符号の説明】
【００７０】
１    ガラス玉
２    金網
３    蓄光材粒
６    「田」字形状部
７    底辺部
８    三角形状部
１０    輪
１１    リング
【図１】
2005124687.tif 000003
【図２】
2005124687.tif 000004
【図３】
2005124687.tif 000005